(57)【要約】【課題】爪なしのモジュラプラグを使ったＬＡＮケーブル用コネクタが嵌合前のプラグ単体でもガタツキを少なくする。【課題を解決するための手段】ＬＡＮケーブル用プラグのモジュラプラグを所定の位置に固定するため、モジュラプラグ７をインシュレータで前後方向から挟んで固定する。一方のインシュレータ８には、モジュラプラグ７が前に行くことを防ぐ手段を有し、他方のインシュレータ６には、モジュラプラグ７が後ろに行くことを防ぐ手段を有する。【選択図】図３
2015222654.tif 000002
【特許請求の範囲】
【請求項１】
通信用ケーブルを結線したモジュラプラグを内蔵したプラグ組立体であって、
モジュラプラグはロック突起やロックレバーを折る、もしくは切断するなどして爪を取ったモジュラプラグ用いる方式において、
円筒形のパッキンとクランプナット及びエンドベルを有し、クランプナットを締め込むことでパッキンが圧縮されて防水性を有するコネクタで、
モジュラプラグを固定するため、フロントホルダとリアホルダで前後方向からモジュラプラグ挟んで固定する方式のもので、フロントホルダには、モジュラプラグが前に行くことを防ぐ手段を有し、リアホルダには、モジュラプラグが後ろに行くことを防ぐ手段を有し
バレル内部にフロントホルダ及びリアホルダ、モジュラプラグを装着するもので、
フロントホルダもしくはリアホルダの外周に突起もしくは凹部を有し、バレルの内周に作用して、所定の位置に収めて用い、
バレルとエンドベルを締め込み可能としていることを特徴とするコネクタ。
【請求項２】
リアホルダは、モジュラプラグを通す挿入孔の裏面側はモジュラプラグの通過できる大きさで、挿入孔の表面側は裏面よりも正方形に近い形状で、挿入孔に段差部を有する事を特徴とする請求項第１項のコネクタ。
【請求項３】
モジュラプラグをフロントホルダとリアホルダに装着するとき、リアホルダでモジュラプラグの挿入孔をモジュラプラグが通過した後で、リアホルダを９０度回転させることで、リアホルダ挿入孔の段差部がモジュラプラグの後面に作用して、モジュラプラグの後ろ方面の移動を規制する構造である事を特徴とする請求項第２項のコネクタ。
【請求項４】
パッキンが内孔から外周につながるスリットを有して、スリットを拡げてケーブル外周に嵌める事が可能で、締め付けのときケーブルパッキンを圧縮して前記スリットを閉じる事を特徴とする請求項１〜３のコネクタ。
【発明の詳細な説明】
【技術分野】
【０００１】
本発明は、モジュラプラグを接続したＬＡＮケーブルを接続するコネクタでねじ式やバヨネット式、ワンタッチロック式で着脱できるコネクタ及び組立構造に関するものである。
【背景技術】
【０００２】
世界的に普及しているＬＡＮ規格である（イーサーネット：登録商標）などオフィスで使われているコンピューターと周辺機器を相互接続するものとしてＲＪ−４５やＲＪ−１１などと呼ばれる国際的に標準化されたコネクタが存在する。
この方式のコネクタを、外部からの衝撃に強くする目的、もしくは、防水性を持たせる目的で、ケーブルコネクタに使うロック機構を持つ外郭で保護する方式にするならば、モジュラプラグの上面のロック部が作用して、モジュラプラグがロックすることは好ましくない。そのため、ロック突起やロックレバーを切断や折るなどの方法で、爪がない形にして用いる事が多い。
【０００３】
図１０は特許文献１の図２として掲載されている図であって、ケーブルクランプ１０１、ケーブルクランプ１０２、Ｃ型リテーナ１０３、コネクタ締結ねじキャップ１０４、プラグ筐体１０５、防水Оリングパッキン１０６、モジュラプラグ１０７、プラグホルダ１０８で構成される。この図ではモジュラプラグ１０７は爪がないものが記載されている。
図１１は特許文献１の図３として掲載されている図であって、組立が済んだ状態を示し、図１０の部品からコンセント筐体２００及び装置パネル２０１なども加えて示した図である。モジュラプラグ１０７はプラグホルダ１０８を通って、モジュラジャック２０５に収まり所定の位置になる構造である。
【先行技術文献】
【特許文献】
【０００４】
【特許文献１】特開２００５−２７６６３３
【発明の概要】
【発明が解決しようとする課題】
【０００５】
従来のモジュラプラグには以下のような欠点があった。
モジュラプラグ１０７をモジュラホルダ１０８に通す方式であるが、コンセント筐体
２００と嵌合していないプラグ単体では、モジュラプラグ１０７を前後左右方向に抑えるものがなく、がたつきが生じていた。
また、ケーブルクランプ１０２とブッシュ１１０を予めケーブルに通しておかねばならず組立の手順に制限がある。
また、組立後に配線の変更などが生じて、別のＬＡＮケーブルを結線したい場合や、ＬＡＮケーブルを別のコネクタに結線したい場合、コネクタとＬＡＮケーブルの組み合わせを変える事が難しい。これは、ブッシュ１１０がケーブル外周に作用して防水をとる方式なので、ＬＡＮケーブル外周の寸法に合わせた大きさである事と関連する。ケーブルクランプ１０２とブッシュ１１０はモジュラプラグの外形よりも大きくならないので、解体しなければならないとき、ケーブルクランプ１０２とブッシュ１１０がモジュラプラグ１０７を超えて外す事が大変である。
【課題を解決するための手段】
【０００６】
本発明はこれら課題を解決するために考え出されたものである。通信用ケーブルを結線したモジュラプラグを内蔵したプラグ組立体であって、通常の防水コネクタに使う外郭を用いて、ＬＡＮケーブル用コネクタとして組み立てる。
モジュラプラグ７のレバー７ａとロック突起７ｂを折るか切断するなどの方法で爪なしモジュラプラグにする。
モジュラプラグを固定するため、フロントホルダとリアホルダを前後方向から挟んで固定する。
フロントホルダには、モジュラプラグが前に行くことを防ぐ手段を有し、リアホルダには、モジュラプラグが後ろに行くことを防ぐ手段を有している。
バレル内部にフロントホルダ及びリアホルダ、モジュラプラグを装着するために、リアホルダの外周に突起もしくは凹部を有し、バレルの内周に作用して、所定の位置に収まる。
【０００７】
円筒形のパッキンとクランプナット及びエンドベルを有し、クランプナットを締め込むことでパッキンが圧縮されて防水性を有する。
バレルとエンドベルを締め込みにより、組立が完了する。
リアホルダは、モジュラプラグを通す挿入孔が裏面はモジュラプラグの通過できる大きさで、表面の挿入孔は裏面の挿入孔よりも正方形に近い形状で、挿入孔に段差部を有する。
これによって、モジュラプラグをリアホルダの挿通させた後、リアホルダを９０度回転させることで、リアホルダの段差部がモジュラプラグの後面に作用して、モジュラプラグの後ろ方面の移動を規制する構造である。
前方向にはフロントホルダが移動を規制する方式であり、左右方向にも移動を規制するため、プラグ単体でもガタツキを少なくする事が出来る。
【０００８】
更に、パッキンが内孔から外周につながるスリットを有して、スリットを拡げてケーブル外周に嵌める事を可能にするとこで、結線後にＬＡＮケーブルの側面からパッキンの装着ができ、組立の作業手順の制約も少なくなる。
そのうえ、パッキンを側面方向に外す事が容易なので、組立後に配線の変更があった場合で、使っているコネクタはそのままで、ＬＡＮケーブルを別のコネクタに結線する事が可能で、ねじ式のものをバヨネットに変えたり、バヨネットのものをねじ式にかえるなど適宜必要なロック機構に変える事が出来、コネクタもそのまま外郭などが使えるため、ゴミの少量化にもなり環境にも優しいものとなる。
【発明の効果】
【０００９】
本発明は、ＬＡＮケーブル用コネクタで、モジュラプラグを組み込みも容易で、単体でガタツキの少ないコネクタを提供する事が出来る。
【図面の簡単な説明】
【００１０】
【図１】ＬＡＮケーブルを結線したモジュラプラグを示した斜視図である。
【図２】ＬＡＮケーブルを結線したモジュラプラグで爪を折る、もしくは爪を切断して、爪が無い状態を示した斜視図である。
【図３】クランプナット１、ワッシャ２、パッキン３、エンドベル４、カップリングナット５、リアホルダ６、モジュラプラグ７、フロントホルダ８、バレル９を示した組立前の分解斜視図である。
【図４】図３が更に組立が進んだ状態を示した分解斜視図である。
【図５】図４が更に組立が進んだ状態を示した分解斜視図である。
【図６】図５が更に組立が進んだ状態を示した分解斜視図である。
【図７】組立が済んだ状態を示す斜視図である。
【図８】フロントホルダ単体の斜視図である。
【図９】リアホルダ単体の斜視図である。
【図１０】特許文献１の図２に掲載された分解斜視図である。
【図１１】特許文献１の図３に掲載された側面断面図である。
【符号の説明】
【００１１】
１……クランプナット    １ａ……クランプナットのメネジ    ２……ワッシャ
３……パッキン    ３ａ……パッキン外周のテーパ面    ３ｂ……パッキンの挿入孔
４……エンドベル    ４ａ……エンドベルのオネジ    ４ｂ……エンドベルのメネジ  
５……カップリングナット    ５ａ……カップリングナットの内周フランジ
５ｂ……カップリングナットのメネジ    ６……リアホルダ    
６ａ……リアホルダの突起    ６ｂ……リアホルダ弾性係止部    
６ｃ……リアホルダの段差部    ６ｄ……リアホルダの表面    ７……モジュラプラグ
７ａ……モジュラプラグのレバー    ７ｂ……モジュラプラグのロック突起    
７ｃ……モジュラプラグの後面      ７ｄ……モジュラプラグの段差部  
８……フロントホルダ    ８ａ……フロントホルダの平面    
８ｂ……フロントホルダの段差面    ８ｃ……フロントホルダの側面    
８ｄ……フロントホルダの外周フランジ    ８ｅ……フロントホルダの表面    
９……バレル    ９ａ……バレルのオネジ    ９ｂ……バレルの外周フランジ    
１０……ＬＡＮケーブル    １１……プラグパッキン    １２……バレルパッキン
２０……ＬＡＮケーブル用プラグ    
１０１……ケーブルクランプ    １０２……ケーブルクランプ
１０３……Ｃ型リテーナ    １０４……コネクタ締結ねじキャップ（カップリングナット）
１０５……プラグ筐体    １０６……防水Оリングパッキン    
１０７……モジュラプラグ    １０８……プラグホルダ    １１０……ブッシュ
２００……コンセント筐体    ２０１……装置パネル    ２０２……Оリングパッキン
２０３……角型フランジ    ２０４……モジュラジャック    
２０５……モジュラジャック    ２０６……プリント基板    ２０７……モジュラプラグ
【発明を実施するための形態】
【００１２】
本発明の実施の形態について図面を参照しながら詳細に説明する。
図１はモジュラプラグ７にケーブル１０を結線したものであり、レバー７ａとロック爪
７ｂを有している。
図２はモジュラプラグ７のレバー７ａとロック爪７ｂを切断した図であり、７ａを上方に力を加える。もしくは刃物を使って切るなどの方法でレバー７ａ及びロック爪７ｂを切断した状態を示している。
図３は組立前のモジュラプラグ７を内蔵したＬＡＮケーブル用コネクタの分解斜視図である。
エンドベルのメネジ４ｂ側にプラグパッキン１１を装着し、バレルの外周フランジ９ｂのところにバレルパッキン１２を装着する。
リアホルダ６及びエンドベル４、カップリングナット５、ワッシャ２、クランプナット１に、モジュラプラグ７及びＬＡＮケーブル１０を通す。
パッキン３は切れ目の入ったものでＬＡＮケーブルの側面側から取り付ける。
この時点では、フロントホルダ８及びバレル９にはモジュラプラグ７は到達していない。
パッキン３がスリットのないものを用いる場合、モジュラプラグ７とＬＡＮケーブル１０を結線前に予めパッキン３を通して装着する。
【００１３】
図４は図３と同じ構成部品で組立が更に進んだ状態を示している。
モジュラプラグ７はフロントホルダ８に通し、パッキン３もＬＡＮケーブル１０に取り付いた状態を示している。
パッキン外周のテーパ面３ａがエンドベル内周に作用して、パッキンが内側に力が加わりＬＡＮケーブルの締め付けとなる。
図５は図４と同じ構成部品で組立が更に進んだ状態を示している。
リアホルダ６とフロントホルダ８が当接する。この時点ではリアホルダの段差部６ｃが、モジュラプラグの後面７ｄに係り、モジュラプラグ７を所定の位置に収める事が出来る。
図６は図５と同じ構成部品で組立が更に進んだ状態を示している。
リアホルダ６とモジュラプラグ７、フロントホルダ８を部組したものをバレル９に装着した状態を示している。
【００１４】
図７は図６と同じ構成部品でＬＡＮケーブル用プラグ２０の組立が済んだ状態である。
クランプナット１とエンドベル４にパッキン３とワッシャ２を挟む様にしてオネジ４ａメネジ１ａが螺合することで防水性を有する。
エンドベル４とバレル９の間にカップリングナット５を挟む様にして固定する。この時、内周フランジ５ａが外周フランジ９ｂに当たって前側への移動を規制する事が出来る。
そして、カップリングナットのメネジ５ｂは嵌合相手のレセプタクルもしくはアダプタのオネジと螺合する。
図に示す形状が一般的であるが、カップリングナット５がバヨネット式やワンタッチ式のものを採用しても良い。
【００１５】
図８はフロントホルダ８の単体図であり、フロントホルダの平面８ａおよび、フロントホルダの段差面８ｂ、フロントホルダの側面８ｃを有し、外周フランジ８ｄを有する。８ｅの面が表面であり、８ｅと反対側の面が裏面である。
モジュラプラグの段差部７ｃがフロントホルダの平面８ａ及び、フロントホルダの段差面８ｂに作用し所定位置に収まる。
図９はリアホルダ６の単体図であり、外周突起６ａはバレルの凹溝に収まり所定の位置に収まる。６ｄはリアホルダ表面で、リアホルダ６の裏面側からモジュラプラグ７を通すとき、モジュラプラグの後面７ｄがリアホルダの段差部６ｃよりも前にいった後で、リアホルダ６を９０度回転させる。すると、リアホルダの段差部６ｃがモジュラプラグの後面７ｄに作用する位置関係となり、モジュラプラグ７の後方向への移動を規制する。
なお、クランプナット１、バレル４、カップリングナット５、バレルなどの外郭に使われるものは、金属、もしくは樹脂により形成されるケースが多い。
【図１】
2015222654.tif 000003
【図２】
2015222654.tif 000004
【図３】
2015222654.tif 000005
【図４】
2015222654.tif 000006
【図５】
2015222654.tif 000007
【図６】
2015222654.tif 000008
【図７】
2015222654.tif 000009
【図８】
2015222654.tif 000010
【図９】
2015222654.tif 000011
【図１０】
2015222654.tif 000012
【図１１】
2015222654.tif 000013
【手続補正書】
【提出日】平成26年8月25日(2014.8.25)
【手続補正１】
【補正対象書類名】特許請求の範囲
【補正対象項目名】全文
【補正方法】変更
【補正の内容】
【特許請求の範囲】
【請求項１】
通信用ケーブルを結線したモジュラプラグを内蔵したプラグ組立体であって、
モジュラプラグはロック突起やロックレバーを折る、もしくは切断するなどして爪を取ったモジュラプラグを用いる方式において、
円筒形のパッキンとクランプナット及びエンドベルを有し、クランプナットを締め込むことでパッキンが圧縮されて防水性を
有するコネクタで、
モジュラプラグを固定するため、フロントホルダとリアホルダで前後方向からモジュラプラグを挟んで固定する方式のもので、フロントホルダ
には、モジュラプラグが前に行くことを防ぐ手段を有し、リアホルダには、モジュラプラグが後ろに行く事を防ぐ手段を有しバレル内部にフロントホルダ及びリアホルダ、モジュラプラグを装着するもので、
フロントホルダもしくはリアホルダの外周に突起もしくは凹部を有し、バレルの内周に作用して、所定の位置に収めて用い、
バレルとエンドベルを締め込み可能としていることを特徴とするコネクタ。
【請求項２】
リアホルダは、モジュラプラグを通す挿入孔の裏面側はモジュラプラグの通過できる大きさで、挿入孔の表面側は裏面側よりも正方形に
近い形で、挿入孔に段差部を有する事を特徴とする請求項第１項のコネクタ。
【請求項３】
モジュラプラグをフロントホルダとリアホルダに装着するとき、リアホルダでモジュラプラグの挿入孔をモジュラプラグが通過した後で、リアホルダを９０度
回転させることで、リアホルダ挿入孔の段差部がモジュラプラグの後面に作用して、モジュラプラグの後ろ方面の移動を規制する構造である事を特徴とする請求項第２項のコネクタ。
【請求項４】
パッキンが内孔から外周につながるスリットを有して、スリットを拡げてケーブル外周に嵌める事が可能な事を特徴とする請求項１〜３のコネクタ。
【手続補正書】
【提出日】平成26年8月25日(2014.8.25)
【手続補正１】
【補正対象書類名】明細書
【補正対象項目名】０００５
【補正方法】変更
【補正の内容】
【０００５】
従来のモジュラプラグには以下のような欠点があった。
モジュラプラグ１０７をモジュールホルダ１０８の通す方式であるが、コンセント筐体
２００と嵌合していないプラグ単体では、モジュラプラグ１０７を前後左右方向に抑えるものがなく、がたつきが生じていた。